(57)【特許請求の範囲】
【請求項１】
開口部にガイドレールユニットが設けられ、前記開口部の上辺に沿って開閉モータによって回転される巻取シャフトが設けられ、該巻取シャフトに巻設されたシャッタカーテンが前記ガイドレールユニットによって開閉をガイドされ、該ガイドレールユニットの少なくとも一方のガイドレールユニットは対向して設けられた一対のガイドレール片を有し、該ガイドレール片はそれぞれ前記シャッタカーテンに対して垂直な方向に突出する突片及び該突片に対して平行に突出する突条を有し、対向する２つの突片は合成樹脂製の連結部材により離脱可能に連結され、前記ガイドレール片、前記連結部材によりガイド溝を形成し、該ガイド溝にインナレールが収納され、該インナレールは前記突条に当接する緩衝部を有し、前記シャッタカーテンの端部が前記インナレールに摺動自在に係合し、前記シャッタカーテンは前記インナレールに沿って開閉され、前記ガイドレール片は前記連結部材との離脱により前記シャッタカーテンに対して垂直な方向に離反し、前記ガイド溝を開放する様に分離可能であることを特徴とするシャッタ装置。
【請求項２】
前記突片は鋸歯面を有し、前記連結部材は両端部が２股フォーク部となっており、前記突片は前記２股フォーク部に嵌合して連結される請求項１のシャッタ装置。
【請求項３】
前記ガイドレール片に前記突片に対して反ガイド溝側にもう１つの突片を設け、前記ガイドレール片の前記もう１つの突片を合成樹脂製の連結部材により離脱可能に連結し、該連結部材を開口部に固定した請求項１のシャッタ装置。
【請求項４】
前記ガイドレール片に前記突片に対して反ガイド溝側にもう１つの突片を設け、一方のガイドレール片の前記もう１つの突片が半円筒部を有し、他方のガイドレール片の前記もう１つの突片が円柱部を有し、前記半円筒部と前記円柱部を嵌合させ、前記一対のガイドレール片は前記半円筒部、円柱部を中心に回転して前記ガイド溝を開放する請求項１のシャッタ装置。
【請求項５】
前記シャッタカーテンは、少なくとも一部が半透明であるスクリーンシャッタカーテンである請求項１のシャッタ装置。
【請求項６】
一対のガイドレール片の少なくとも一方に前記ガイド溝開放用のフックを設けた請求項１、請求項３、請求項４のいずれか１つのシャッタ装置。
【発明の詳細な説明】
【０００１】
【発明の属する技術分野】
本発明は建屋開口部等に設けられるシャッタ装置に関し、例えば屋内の間仕切り開口部等に設けられ、閉鎖状態で緊急開放が可能なシャッタ装置に関するものである。
【０００２】
【従来の技術】
屋内の間仕切り開口部の開閉装置としては、引戸或はヒンジに回転可能に支持された扉等が一般的である。
【０００３】
開口部に前記引戸を設ける場合は、開放時に該引戸を収納する為開口面積と略同等の引戸収納スペースが必要であり、又開口部に扉を設ける場合は扉が回転できるだけのスペースを必要とする。特に、車椅子等が通過できる様な大きな開口部とするには引戸、扉のいずれを設ける場合でも、大きな設置スペースを必要としていた。この為、一般住宅等の場合は、間仕切りに大きな開口部の開閉装置を設けるのが困難であった。
【０００４】
大きな開口部を開閉可能で而も設置スペースが小さい開閉装置として、巻取り式の開閉装置がある。例えば、屈撓自在で軟質の布製又は合成樹脂製のシート状のスクリーンをシャッタカーテンとし、該シャッタカーテンを巻取りシャフトに巻取り、或は繰出すことで、開口部を開閉するシャッタ装置である。斯かるシャッタ装置では、シャッタカーテンの収納部を設置する場合に必要とされる空間が小さく、場所的に余裕のない一般住宅にも充分に設けることができるものである。
【０００５】
又、シャッタカーテンの開閉は電動で行うもの、或は手動で行うもの等がある。電動で開閉を行うものは、開口部に近接した位置に開閉ボタンが設けられ、該開閉ボタンの操作でシャッタカーテンの開閉を行い、或はリモートコントローラからの操作でシャッタカーテンの開閉が可能となっている。
【０００６】
又、手動でシャッタカーテンの開閉を行うものではシャッタカーテンがバランススプリングにより開方向に付勢されており、又シャッタカーテンを引下ろした場合には任意の位置でシャッタカーテンが保持される機構を具備している。又、手動で開閉を行うものでは完全に閉鎖した状態で施錠が可能となっているものがある。
【０００７】
【発明が解決しようとする課題】
上記した巻取り式のシャッタ装置に於いて、電動で開閉を行うもので、停電或は駆動回路の故障等の不測の事態でシャッタカーテンが開かない状態となった場合で、緊急に開放する事が必要となった場合は、シャッタカーテンを手動で開閉する手段がなく、この為シャッタカーテンがシート状のスクリーンのものではスクリーンを破って入室し、或は在室する者を外に連出していた。
【０００８】
又、シャッタカーテンがシート状のスクリーンで手動のものでも、内側から施錠がされている場合、入室するにはやはりシャッタカーテンを破らざるを得なかった。
【０００９】
上記した様に、従来のシャッタ装置ではシャッタカーテンがシート状のスクリーンであった場合は、シャッタカーテンを破ることで出入りが可能となったが、シャッタ装置の修復には、シャッタカーテンの交換作業が必要となっていた。更に、シャッタカーテンが金属製のスラット等硬質部材により構成されている場合は、シャッタカーテン自体が頑丈であり、簡単には破壊することが難しく、更にシャッタカーテンを破壊する場合、ガイドレールも破損する虞れがあり、修復作業が大掛りとなる。
【００１０】
本発明は斯かる実情に鑑み、シャッタ装置でシャッタカーテンが開かなくなった場合に、シャッタ装置に損傷を与えることなく、比較的簡単に開口部を開口させて出入りができる様にすると共に修復作業を簡単に行える様にするものである。
【００１１】
【課題を解決するための手段】
本発明は、開口部にガイドレールユニットが設けられ、前記開口部の上辺に沿って開閉モータによって回転される巻取シャフトが設けられ、該巻取シャフトに巻設されたシャッタカーテンが前記ガイドレールユニットによって開閉をガイドされ、該ガイドレールユニットの少なくとも一方のガイドレールユニットは対向して設けられた一対のガイドレール片を有し、該ガイドレール片はそれぞれ前記シャッタカーテンに対して垂直な方向に突出する突片及び該突片に対して平行に突出する突条を有し、対向する２つの突片は合成樹脂製の連結部材により離脱可能に連結され、前記ガイドレール片、前記連結部材によりガイド溝を形成し、該ガイド溝にインナレールが収納され、該インナレールは前記突条に当接する緩衝部を有し、前記シャッタカーテンの端部が前記インナレールに摺動自在に係合し、前記シャッタカーテンは前記インナレールに沿って開閉され、前記ガイドレール片は前記連結部材との離脱により前記シャッタカーテンに対して垂直な方向に離反し、前記ガイド溝を開放する様に分離可能であるシャッタ装置に係り、又前記突片は鋸歯面を有し、前記連結部材は両端部が２股フォーク部となっており、前記突片は前記２股フォーク部に嵌合して連結されるシャッタ装置に係り、又前記ガイドレール片に前記突片に対して反ガイド溝側にもう１つの突片を設け、前記ガイドレール片の前記もう１つの突片を合成樹脂製の連結部材により離脱可能に連結し、該連結部材を開口部に固定したシャッタ装置に係り、又前記ガイドレール片に前記突片に対して反ガイド溝側にもう１つの突片を設け、一方のガイドレール片の前記もう１つの突片が半円筒部を有し、他方のガイドレール片の前記もう１つの突片が円柱部を有し、前記半円筒部と前記円柱部を嵌合させ、前記一対のガイドレール片は前記半円筒部、円柱部を中心に回転して前記ガイド溝を開放するシャッタ装置に係り、又前記シャッタカーテンは、少なくとも一部が半透明であるスクリーンシャッタカーテンであるシャッタ装置に係り、更に又一対のガイドレール片の少なくとも一方に前記ガイド溝開放用のフックを設けたシャッタ装置に係るものである。
【００１２】
【発明の実施の形態】
以下、図面を参照しつつ本発明の実施の形態を説明する。
【００１３】
図１は屋内の一画がパネル１，２によって間仕切りされ、間仕切りの開口部３に巻取り式のシャッタ装置４が設けられた状態を示している。
【００１４】
図２、図３により該シャッタ装置４について説明する。
【００１５】
建屋の壁面５，６とそれぞれ平行なパネル１，２が鉤状に設けられ、前記パネル１には前記開口部３が形成されている。前記パネル１，２により小部屋７が画成され、該小部屋７は例えばシャワー室、トイレ等に利用される。
【００１６】
前記開口部３の上辺に沿って巻取り部８が設けられる。該巻取り部８には中空の巻取りシャフト９が回転自在に設けられ、該巻取りシャフト９内部には図示しない開閉モータが設けられ、該開閉モータにより前記巻取りシャフト９が回転される様になっている。尚、巻取りシャフトは、開口部の内側上辺に設けても、開口部の外側で間仕切りの表面側又は裏面側の何れかの面側の開口部上辺近傍に設けることも可能である。
【００１７】
前記開口部３の両側辺に沿ってガイドレールユニット１１，１１が取付けられている。前記巻取りシャフト９にはシート状のスクリーンであるシャッタカーテン１２が巻設され、前記巻取りシャフト９から繰出されたシャッタカーテン１２は、両側部を前記ガイドレールユニット１１に案内され昇降する様になっている。前記シャッタカーテン１２の下端には該シャッタカーテン１２の全幅に亘ってカーテン下端部１３が設けられ、該カーテン下端部１３の下面には全幅に亘って封止部材１４が設けられている。
【００１８】
前記カーテン下端部１３は適宜な重量を有し、前記シャッタカーテン１２に所定の張力を与える。又、前記封止部材１４はゴム等弾性部材から成る中空体であり、前記シャッタカーテン１２が完全に降下した状態で、床面に密着し、気密や防水機能を発揮する。
【００１９】
図４に於いて前記ガイドレールユニット１１について説明する。
【００２０】
該ガイドレールユニット１１はアルミの押出し成型、又は引抜き成型で形成された一対のガイドレール片１５ａ，１５ｂ及び該ガイドレール片１５ａ，１５ｂを連結する合成樹脂製の連結部材１６ａ，１６ｂ及び前記ガイドレールユニット１１内に収納される合成樹脂製のインナレール１７によって構成されている。尚、前記ガイドレール片１５ａ，１５ｂ、連結部材１６ａ，１６ｂ、インナレール１７はいずれも押出し、或は引抜き成型されたものであり、図４で示す断面を有している。
【００２１】
前記ガイドレール片１５ａと対峙するガイドレール片１５ｂとは同一断面を有し、対称的に配置されている。以下はガイドレール片１５ａについて説明する。
【００２２】
該ガイドレール片１５ａは一端部（図４中右端部）がコの字状に折返され、折返し片２０に対向して突条１８が突設されている。又、前記ガイドレール片１５ａの他端部には一面が鋸歯状となっている突片１９が突設され、該突片１９と前記突条１８との間に前記突片１９とは対称の突片２１が突設されている。該突片２１と前記突片１９との間にビスホールを形成する突条部２２，２２が一対相対して形成されている。
【００２３】
前記連結部材１６ａ，１６ｂは一方のガイドレール片１５ａと他方のガイドレール片１５ｂを連結するものであり、同一断面形状を有し対称に配置される。
【００２４】
以下前記連結部材１６ａについて説明する。
【００２５】
該連結部材１６ａは適宜な弾性を有する合成樹脂であり、両端部が２股フォーク部２３，２３となっており、両２股フォーク部２３，２３は前記ガイドレール片１５ａ及びガイドレール片１５ｂの前記突片１９，１９に嵌合する。又、前記２股フォーク部２３の前記突片１９の鋸歯面に対峙する面は鋸歯状となっており、該突片１９と２股フォーク部２３とが嵌合すると該２股フォーク部２３が弾性力で前記突片１９を挾持する噛合状態となり、該突片１９を前記２股フォーク部２３から抜脱するには嵌合する場合より大きな力が必要となる。
【００２６】
前記連結部材１６ｂの２股フォーク部２３，２３も同様に前記ガイドレール片１５ａ及びガイドレール片１５ｂの前記突片２１，２１に嵌合する。
【００２７】
尚、前記連結部材１６ａ，１６ｂは少なくとも一部、即ち例えば２股フォーク部２３の部分を合成樹脂製としてもよい。
【００２８】
前記インナレール１７は前記ガイドレール片１５ａの前記突片２１と突条１８との間及び前記ガイドレール片１５ｂの前記突片２１と突条１８との間に収納され、中央部に凸字状の溝２４が形成され、両端部には前記突条１８に向って突出するフック形状の緩衝部２５が一体形成されている。前記インナレール１７は硬質の合成樹脂で成型され、前記緩衝部２５の部分のみ弾性の比較的軟質の合成樹脂で成型されている。
【００２９】
図５に於いて前記ガイドレールユニット１１の取付け状態を説明する。
【００３０】
前記パネル１に前記連結部材１６ａを螺子等の固定手段にて固定し、該連結部材１６ａの２股フォーク部２３に前記ガイドレール片１５ａを前記突片１９を介して嵌込み、又前記連結部材１６ｂの２股フォーク部２３を前記ガイドレール片１５ａの突片２１に嵌合し、該突片２１と前記突条１８との間に前記インナレール１７を配置した状態で、前記ガイドレール片１５ｂの前記突片１９及び前記突片２１を前記連結部材１６ａ，１６ｂにそれぞれ嵌合させる。
【００３１】
而して、前記ガイドレールユニット１１が構成され、前記ガイドレール片１５ａの前記折返し片２０と前記ガイドレール片１５ｂの前記折返し片２０との間にはガイド溝２６が形成される。
【００３２】
前記シャッタカーテン１２の両側端部は前記ガイド溝２６に嵌合する凸部２７が形成され、該凸部２７には更に係合部である係合ピン２８が設けられている。該係合ピン２８は先端にフランジ部が形成され、所定ピッチで前記シャッタカーテン１２の全長に亘り設けられて、前記溝２４に摺動可能に嵌合する様になっている。又、前記係合ピン２８先端のフランジ部は前記溝２４に対して抜止めとなっている。
【００３３】
前記係合ピン２８が前記溝２４に嵌合した状態では前記緩衝部２５は前記突条１８に当接している。前記緩衝部２５の弾性力により前記シャッタカーテン１２の幅方向の位置決めがなされ、又該シャッタカーテン１２に過度の力が作用した場合に、前記緩衝部２５が撓んで前記シャッタカーテン１２に掛る負荷を減少させ、該シャッタカーテン１２或は前記係合ピン２８とインナレール１７との係合部分が破損することを防止する。
【００３４】
前記ガイドレールユニット１１の少なくとも一方のガイドレール片１５、好ましくは室外側のガイドレール片１５、図５では前記ガイドレール片１５ｂの上端、下端の少なくとも一箇所にフック２９が設けられる。該フック２９はピン等を介して枢着され、折畳み可能としてもよい。前記シャッタカーテン１２の開閉は、開閉ボタン３１（図１参照）を操作して行われる。
【００３５】
次に、作動を説明する。
【００３６】
前記開閉ボタン３１を操作して、前記シャッタカーテン１２の開閉を行う。例えば、前記開口部３を閉じる場合は、前記開閉ボタン３１の閉ボタンを押し、図示しない開閉モータを駆動し、前記巻取りシャフト９を図２中反時計方向に回転させ、前記シャッタカーテン１２を繰出す。該シャッタカーテン１２下端のカーテン下端部１３により前記シャッタカーテン１２が引出される。前記封止部材１４が床面に達し、所要量圧縮された位置で、前記巻取りシャフト９内に設けられたリミットスイッチが作動し、開閉モータが停止する。
【００３７】
前記開口部３を開く場合は、開ボタンを押すことで、前記開閉モータが駆動され、前記巻取りシャフト９が時計方向に回転されて前記シャッタカーテン１２が巻取られる。
【００３８】
前記シャッタカーテン１２が前記開口部３を閉鎖した状態で、停電等で前記シャッタカーテン１２を開くことができなくなった場合で、緊急に前記小部屋７内に出入りする必要が生じた場合、例えば該小部屋７に在室している者が体の不調を訴えた場合等、室外者が前記フック２９を持ちガイドレール片１５ｂを引剥がす。該ガイドレール片１５ｂを保持しているのは前記突片１９、前記突片２１が嵌合している前記２股フォーク部２３の弾性力による保持力のみであるので、保持力以上の大きな抜脱力を掛けることで、前記ガイドレール片１５ｂを傷つけることなく、該ガイドレール片１５ｂを抜去できる。尚、前記２股フォーク部２３の保持力は合成樹脂の弾性力であり、前記ガイドレール片１５ｂは一般の人で充分に引剥がすことが可能である。
【００３９】
在室者が車椅子を使用している場合は、両側のガイドレールユニット１１のガイドレール片１５ｂを引剥がし、そうでない場合は一方のガイドレール片１５ｂのみを引剥がす。該ガイドレール片１５ｂを取外すことで、前記ガイドレールユニット１１による前記シャッタカーテン１２のガイド状態が解除され、該シャッタカーテン１２は端部にインナレール１７が取付けられた状態で大きくめくることができ、在室者を室外に連出すことができる。
【００４０】
緊急時の対応が完了し、前記シャッタ装置４を元の状態に復旧する場合には、単に前記ガイドレール片１５ｂを前記インナレール１７と共に前記連結部材１６ａ，１６ｂに填戻すだけでよい。
【００４１】
該連結部材１６ａ，１６ｂは弾性部材であるので、前記ガイドレール片１５ｂを繰返し着脱しても該ガイドレール片１５ｂの保持力は損われない。
【００４２】
前記ガイドレールユニット１１の取付け方法としては、該ガイドレールユニット１１を前記パネル１の端面でなく、表面又は裏面に設けることができる。例えば、前記ガイドレールユニット１１を前記パネル１の表面に取付ける場合は、前記ガイドレール片１５ａを前記パネル１の表面に螺子等の固定手段にて固定する。この場合、引剥がすのはガイドレール片１５ｂに限定される。
【００４３】
上記した様に、前記ガイドレールユニット１１を分割構造とし、前記シャッタカーテン１２を前記ガイドレールユニット１１から外すことを可能としたが、分割構造としては種々考えられ、例えば図６〜図８に示すものがある。尚、図６〜図８中、図４中で示したものと同等のものには同符号を付し、突条部２２については省略して示している。
【００４４】
図６に示すガイドレールユニット１１では、ガイドレール片１５ａの突片２１とガイドレール片１５ｂの突片２１との連結は連結部材１６ｂで行っている。又前記ガイドレール片１５ａ、ガイドレール片１５ｂの端部には突片１９の代りに端片１９ａ，１９ｂを形成している。該端片１９ａは斜めに立上がるヒンジ腕部３２、該ヒンジ腕部３２の先端に形成された半円筒部３３を有している。
【００４５】
又、前記端片１９ｂは斜めに立上がるヒンジ腕部３４、該ヒンジ腕部３４の先端に形成され前記半円筒部３３と回転自在に嵌合する円柱部３５を有している。
【００４６】
尚、前記ガイドレール片１５ａ、ガイドレール片１５ｂ間の回転によりガイド溝２６が開放されるので、前記ガイドレール片１５ａ、又は前記ガイドレール片１５ｂのいずれかがパネル１表面又は壁面に取付けられる。
【００４７】
緊急時、前記シャッタカーテン１２を取外す場合は、固定されていない方のガイドレール片１５を引剥がすことで、前記連結部材１６ｂより前記突片２１が抜脱され、前記半円筒部３３、前記円柱部３５を中心に前記ガイドレール片１５が回転し、前記ガイド溝２６が大きく開かれ、前記シャッタカーテン１２を取外すことができる。
【００４８】
図７は剥離可能な接合部材４０を使用した場合を示している。
【００４９】
端片１９ａの先端に雌嵌合部３６を形成し、端片１９ｂの先端に前記雌嵌合部３６と嵌合する雄嵌合部３７を形成する。突片２１ａの先端にフランジ部３８を形成し、突片２１ｂの先端にフランジ部３９を形成し、前記フランジ部３８と前記フランジ部３９間に前記接合部材４０を設け、該接合部材４０により前記フランジ部３８と前記フランジ部３９とを接合する。
【００５０】
前記接合部材４０は例えば、一対のテープ材から構成され、一方のテープ材の接合面には屈撓自在なループ線材が密集して植設され、他方のテープ材の接合面には硬質線材の鉤片が密集して植設され、両テープ材を押圧すると前記鉤片とループ線材が係合して接合力を発揮するものである。
【００５１】
又、前記接合部材４０は両面テープであってもよく、この場合、適宜な接合力と、適宜な引剥がし力となる様、接着面積、即ち前記フランジ部３８，３９の幅寸法を選択する。
【００５２】
図８に示すガイドレールユニット１１では部材自体の嵌合力を利用してガイドレール片１５ａとガイドレール片１５ｂとを合体させている。
【００５３】
前記端片１９ａの先端に前記雌嵌合部３６を形成し、前記端片１９ｂの先端に前記雌嵌合部３６に圧入される前記雄嵌合部３７を形成する。又、前記突片２１ａの先端に雌嵌合部４１を形成し、前記突片２１ｂの先端に前記雌嵌合部４１に圧入される雄嵌合部４２を形成する。
【００５４】
前記ガイドレール片１５ａと前記ガイドレール片１５ｂの合体は前記雌嵌合部３６に前記雄嵌合部３７を、及び前記雌嵌合部４１に前記雄嵌合部４２をそれぞれ圧入することで嵌合力が発生し、前記ガイドレール片１５ａと前記ガイドレール片１５ｂが合体し、又該ガイドレール片１５ａ、ガイドレール片１５ｂの一方を引剥がすことで、前記ガイド溝２６を開放することができる。
【００５５】
尚、前記ガイドレール片１５ａ、ガイドレール片１５ｂが分解、分離できる構造としては上記した構造以外にも種々考えられることは勿論であり、該ガイドレール片１５ａとガイドレール片１５ｂが同一形状である必要もない。
【００５６】
上記実施の形態では緊急時に、前記ガイドレールユニット１１を開放して前記シャッタカーテン１２が外れる様にしたが、該シャッタカーテン１２の一部がチャック等により接合され、該チャック等によりシャッタカーテン１２自体を開放可能としてもよい。
【００５７】
又、小部屋７の内部の様子を把握できる様にし、緊急時に迅速に対応できる様にすることもできる。
【００５８】
前記シャッタカーテン１２の材質を半透明性のものを使用することで、該シャッタカーテン１２を通して前記小部屋７に在室している者のシルエットを窺うことができ、在室者に異常があった場合に直ちに対応することができる。
【００５９】
尚、半透明のシャッタカーテン１２の材質としては、ガラス繊維のメッシュ生地に透明又は半透明のビニールをコーティングしたもの等が挙げられ、強度が高く、屈撓性に優れ、伸縮性が少なく該シャッタカーテン１２の材質としては適している。又、シート状のスクリーンは合成樹脂を主材としたものでも使用可能である。
【００６０】
又、シャッタカーテン１２の一部を半透明性にしてもよい。この場合上記した半透明のシャッタカーテン１２に一部を残して不透明のビニールをコーティングする等の処理をすればよい。
【００６１】
更に、前記シャッタカーテン１２としては布製又は合成樹脂製のシート状のものではなく、合成樹脂製のスラットや金属製のスラットを屈撓自在に連結して構成した巻取り式のシャッタ装置、或はシャッタカーテン１２にパネルを屈撓自在に連結して構成したパネルシャッタ等にも実施可能である。又、ガイドレールユニットの構造は任意であり、図４、図５で示したインナレール１７、該インナレール１７と係合する係合部である係合ピン２８は省略することができる。又巻取り式でなく、折畳み式、送込み式、分離重合式等のシャッタ装置にも実施可能である。
【００６２】
図９は本発明に係るシャッタ装置４の設置例を示している。
【００６３】
該設置例では小部屋７ａと小部屋７ｂがパネル１ａ，１ｂ及びパネル４４とで画成され、前記小部屋７ａ，７ｂが前記パネル４４を介して連設された場合であり、開口部３ａ及び開口部３ｂを開閉する為にシャッタ装置４ａ、シャッタ装置４ｂが設けられている。
【００６４】
前記開口部３ａを形成する前記パネル１ａの端面にガイドレールユニット１１ａが設けられ、前記開口部３ｂを形成する前記パネル１ｂの端面にガイドレールユニット１１ｂが設けられている。
【００６５】
前記パネル４４の端面にはガイドレール４５が設けられている。該ガイドレール４５は両端面にガイド溝を有する略Ｈ形状をしており、該ガイドレール４５は前記シャッタ装置４ａとシャッタ装置４ｂによって共用されており、前記ガイドレールユニット１１ａとガイドレール４５との間にシャッタカーテン１２ａが設けられ、前記ガイドレール１１ｂと前記ガイドレール４５間にシャッタカーテン１２ｂが設けられている。前記ガイドレール４５が両シャッタ装置４ａ，４ｂの共通のガイドレールとすることで、前記開口部３ａと開口部３ｂ間にパネルを設ける必要がなく、前記開口部３ａと開口部３ｂの開口面積を大きくとれる。
【００６６】
尚、上記各実施の形態に於いて、少なくとも一方のガイドレールユニットがガイド溝を開放できる様になっていればよい。
【００６７】
【発明の効果】
以上述べた如く本発明によれば、開口部にシャッタカーテンをガイドするガイドレールユニットが設けられ、該ガイドレールユニットの少なくとも一方のガイドレールユニットは対向して設けられガイド溝を形成する一対のガイドレール片を有し、該ガイドレール片は前記シャッタカーテンのガイド状態を解除し前記ガイド溝を開放する様に分離可能であるので、シャッタ装置でシャッタカーテンが開かなくなった場合に、ガイドレールユニット、ガイドレール片を分離することで、開口部を開口させて出入りが可能になると共に分離したガイドレール片を元に戻すことで修復を簡単に行える等の優れた効果を発揮する。
【図面の簡単な説明】
【図１】本発明の実施の形態の全体を示す斜視図である。
【図２】図１のＡ−Ａ矢視図である。
【図３】図１のＢ−Ｂ矢視図である。
【図４】本発明の実施の形態で使用されたガイドレールユニットの分解図である。
【図５】該ガイドレールユニットとシャッタカーテンとの関係を示す部分断面図である。
【図６】ガイドレールユニットの他の例を示す断面図である。
【図７】ガイドレールユニットの更に他の例を示す断面図である。
【図８】ガイドレールユニットの更に他の例を示す断面図である。
【図９】本発明に係るシャッタ装置の他の実施の形態を示す説明図である。
【符号の説明】
３          開口部
４          シャッタ装置
１１        ガイドレールユニット
１２        シャッタカーテン
１５        ガイドレール片
１６        連結部材
１７        インナレール
１９        突片
２１        突片
２６        ガイド溝
３６        雌嵌合部
３７        雄嵌合部
４０        接合部材
４１        雌嵌合部
４２        雄嵌合部
【図１】
0003856439.tif 000002
【図２】
0003856439.tif 000003
【図３】
0003856439.tif 000004
【図４】
0003856439.tif 000005
【図５】
0003856439.tif 000006
【図６】
0003856439.tif 000007
【図７】
0003856439.tif 000008
【図８】
0003856439.tif 000009
【図９】
0003856439.tif 000010